(57)【要約】【課題】受信データの位相傾きが大きい場合、例えばＩ軸のみの受信データに関する相関を取って遅延プロファイルを生成すると、ピークを持つ主波Ｄと遅延波Ｕ１の相関値は小さくなり、その分前後のシンボルにある程度の大きさの相関値が発生する。これにより、遅延プロファイルの精度が低くなっていた。【解決手段】受信データの内、片軸のみ用いて算出した遅延プロファイルに対して、ある特定のシンボルとその前後何シンボルかを演算範囲として、その範囲の遅延プロファイル値を用いて演算を行い、前記演算結果を前記特定のシンボルの遅延プロファイル値として出力する遅延プロファイル再計算手段を含んで構成され、ピークの前後数シンボルに渡って相関値の２乗和を算出することにより、ピークのシンボルに関する電力を算出することにより、位相傾きの影響を除去して遅延プロファイルを高精度化する。【選択図】図３
2006203485.tif 000002
【特許請求の範囲】
【請求項１】
受信データの内、片軸のみ用いて算出した遅延プロファイルに対して、
ある特定のシンボルとその前後何シンボルかを演算範囲として、その範囲の遅延プロファイル値を用いて演算を行い、前記演算結果を前記特定のシンボルの遅延プロファイル値として出力する遅延プロファイル再計算手段を含んで構成されることを特徴とする復調装置。
【請求項２】
前記遅延プロファイル再計算手段は、前記演算範囲をＮ通り（Ｎは２以上の整数）実行することを特徴とする請求項１に記載の復調装置。
【請求項３】
前記遅延プロファイル再計算手段は、前記Ｎ通りの演算結果の平均値を前記特定のシンボルの遅延プロファイル値とすることを特徴とする請求項２に記載の復調装置。
【請求項４】
前記遅延プロファイル再計算手段は、前記演算を行う前記特定のシンボルの間隔に応じて、前記演算範囲を決定することを特徴とする請求項１に記載の復調装置。
【請求項５】
前記遅延プロファイル再計算手段は、前記演算範囲が互いに重ならないように、前記演算範囲を決定することを特徴とする請求項４に記載の復調装置。
【請求項６】
前記遅延プロファイル再計算手段は、大きさが所定値以上の遅延プロファイル値を有するシンボルを前記特定のシンボルとして抽出することを特徴とする請求項１〜５のいずれか１項に記載の復調装置。
【請求項７】
前記遅延プロファイル再計算手段は、大きさが１位〜Ｍ位（Ｍは自然数）の遅延プロファイル値を有するシンボルを前記特定のシンボルとして抽出することを特徴とする請求項１〜５のいずれか１項に記載の復調装置。
【請求項８】
前記復調装置は更に、
前記遅延プロファイル再計算手段で算出した遅延プロファイルを用いて、伝送路状況を解析する伝送路解析手段を有することを特徴とする請求項１〜７のいずれか１項に記載の復調装置。
【請求項９】
前記伝送路解析手段は、伝送路解析結果として少なくとも希望波対妨害波電力比、及び妨害波の希望波に対する遅延時間を算出することを特徴とする請求項８に記載の復調装置。
【請求項１０】
前記復調装置は更に、
遅延プロファイル再計算手段で算出した遅延プロファイルの大きさの最大値を検出して、最大値を有する前記特定のシンボルを決定する最大値検出手段を有することを特徴とする請求項１または３〜９のいずれか１項に記載の復調装置。
【請求項１１】
前記復調装置は更に、
遅延プロファイル再計算手段で算出したＮ通りの遅延プロファイルそれぞれについて、前記遅延プロファイルの大きさの最大値を検出して最大値を有する前記特定のシンボルを決定し、前記Ｎ通りの最大値を有する前記特定のシンボルの多数決判定を行って、最大値を有する前記特定のシンボルを決定する最大値検出手段を有することを特徴とする請求項２に記載の復調装置。
【請求項１２】
前記遅延プロファイル再計算手段における演算は、２乗和であることを特徴とする請求項１〜１１のいずれか１項に記載の復調装置。
【請求項１３】
受信データの内、片軸のみ用いて遅延プロファイルを算出する遅延プロファイル算出手段と、
遅延プロファイルの大きさが最大であるシンボルとその前後何シンボルかを比較範囲として、それらの遅延プロファイル値と、遅延プロファイル算出に用いた既知シンボル列を所定の角度刻みで位相回転した場合の遅延プロファイル値とを比較して、最も遅延プロファイルが近い位相回転量θを決定する比較手段とを有し、
前記遅延プロファイル算出手段は入力データを−θ回転させてから遅延プロファイルを算出することを特徴とする復調装置。
【請求項１４】
前記復調装置は更に、
前記遅延プロファイル算出手段で算出した遅延プロファイルを用いて、伝送路状況を解析する伝送路解析手段を有することを特徴とする請求項１３に記載の復調装置。
【請求項１５】
前記伝送路解析手段は、伝送路解析結果として少なくとも希望波対妨害波電力比、及び妨害波の希望波に対する遅延時間を算出することを特徴とする請求項１４に記載の復調装置。
【請求項１６】
前記復調装置は更に、
前記遅延プロファイル算出手段で算出した遅延プロファイルの大きさの最大値を検出して、最大値を有するシンボルを決定する最大値検出手段を有することを特徴とする請求項１３〜１５のいずれか１項に記載の復調装置。
【請求項１７】
受信データの内、片軸のみ用いて算出した遅延プロファイルに対して、
ある特定のシンボルとその前後何シンボルかを演算範囲として、その範囲の遅延プロファイル値を用いて演算を行い、前記演算結果を前記特定のシンボルの遅延プロファイル値とする遅延プロファイル再計算ステップを含んで構成されることを特徴とする復調方法。
【請求項１８】
前記遅延プロファイル再計算ステップは、前記演算範囲をＮ通り（Ｎは２以上の整数）実行することを特徴とする請求項１７に記載の復調方法。
【請求項１９】
前記遅延プロファイル再計算ステップは、前記Ｎ通りの演算結果の平均値を前記特定のシンボルの遅延プロファイル値とすることを特徴とする請求項１８に記載の復調方法。
【請求項２０】
前記遅延プロファイル再計算ステップは、前記演算を行う前記特定のシンボルの間隔に応じて、前記演算範囲を決定することを特徴とする請求項１７に記載の復調方法。
【請求項２１】
前記遅延プロファイル再計算ステップは、前記演算範囲が互いに重ならないように、前記演算範囲を決定することを特徴とする請求項２０に記載の復調方法。
【請求項２２】
前記遅延プロファイル再計算ステップは、大きさが所定値以上の遅延プロファイル値を有するシンボルを前記特定のシンボルとして抽出することを特徴とする請求項１７〜２１のいずれか１項に記載の復調方法。
【請求項２３】
前記遅延プロファイル再計算ステップは、大きさが１位〜Ｍ位（Ｍは自然数）の遅延プロファイル値を有するシンボルを前記特定のシンボルとして抽出することを特徴とする請求項１７〜２１のいずれか１項に記載の復調方法。
【請求項２４】
前記復調方法は更に、
前記遅延プロファイル再計算ステップで算出した遅延プロファイルを用いて、伝送路状況を解析する伝送路解析ステップを有することを特徴とする請求項１７〜２３のいずれか１項に記載の復調方法。
【請求項２５】
前記伝送路解析ステップは、伝送路解析結果として少なくとも希望波対妨害波電力比、及び妨害波の希望波に対する遅延時間を算出することを特徴とする請求項２４に記載の復調方法。
【請求項２６】
前記復調方法は更に、
遅延プロファイル再計算ステップで算出した遅延プロファイルの大きさの最大値を検出して、最大値を有する前記特定のシンボルを決定する最大値検出ステップを有することを特徴とする請求項１７または１９〜２５のいずれか１項に記載の復調方法。
【請求項２７】
前記復調方法は更に、
遅延プロファイル再計算ステップで算出したＮ通りの遅延プロファイルそれぞれについて、前記遅延プロファイルの大きさの最大値を検出して最大値を有する前記特定のシンボルを決定し、前記Ｎ通りの最大値を有する前記特定のシンボルの多数決判定を行って、最大値を有する前記特定のシンボルを決定する最大値検出ステップを有することを特徴とする請求項１８に記載の復調方法。
【請求項２８】
前記遅延プロファイル再計算ステップにおける演算は、２乗和であることを特徴とする請求項１７〜２７のいずれか１項に記載の復調方法。
【請求項２９】
受信データの内、片軸のみ用いて遅延プロファイルを算出する遅延プロファイル算出ステップと、
遅延プロファイルの大きさが最大であるシンボルとその前後何シンボルかを比較範囲として、それらの遅延プロファイル値と、遅延プロファイル算出に用いた既知シンボル列を所定の角度刻みで位相回転した場合の遅延プロファイル値とを比較して、最も遅延プロファイルが近い位相回転量θを決定する比較ステップとを有し、
前記遅延プロファイル算出ステップは入力データを−θ回転させてから遅延プロファイルを算出することを特徴とする復調方法。
【請求項３０】
前記復調方法は更に、
前記遅延プロファイル再計算ステップで算出した遅延プロファイルを用いて、伝送路状況を解析する伝送路解析ステップを有することを特徴とする請求項２９に記載の復調方法。
【請求項３１】
前記伝送路解析ステップは、伝送路解析結果として少なくとも希望波対妨害波電力比、及び妨害波の希望波に対する遅延時間を算出することを特徴とする請求項２９に記載の復調方法。
【請求項３２】
前記復調方法は更に、
遅延プロファイル再計算ステップで算出した遅延プロファイルの大きさの最大値を検出して、最大値を有する前記特定のシンボルを決定する最大値検出ステップを有することを特徴とする請求項２９に記載の復調方法。
【請求項３３】
請求項１７〜３２のいずれか１項記載の復調方法を実行することを特徴とする集積回路。
【請求項３４】
請求項１７〜３２のいずれか１項記載の復調方法を実行するための信号処理手順を記載したことを特徴とするプログラム。
【発明の詳細な説明】
【技術分野】
【０００１】
本発明は、片軸のみの受信データを用いて遅延プロファイルを生成する際の高精度化を図る技術に関する。
【背景技術】
【０００２】
米国で行われている地上波デジタル放送において、片軸のみの受信データを用いて遅延プロファイルを生成する際、受信データに位相傾きがある場合に遅延プロファイルの精度が低くなるという問題があった。
【０００３】
復調装置に含まれる従来の遅延プロファイル生成回路として、下記の特許文献に開示されている同期検出回路を用いた構成が挙げられる。
【０００４】
図１９は、特許文献１に開示されている同期検出回路の構成を示す図である。
【０００５】
同期検出回路１００１は、相関手段１００２、最大値位置検出手段１００３、及び信頼性測定手段１００４を備える。
【０００６】
相関手段１００２は、受信信号である入力信号と受信側において既知の同期信号との相互相関をとる。最大値位置検出手段１００３は、その結果得られる相関値の列において最大値となる位置を検出し、信頼性測定手段１００４は、最大値位置検出手段１００３において検出された最大値の位置が正しい同期信号の位置かどうかを確定するために、その信頼性を測定し、例えば同期位置を示す同期パルス信号を出力する。
【特許文献１】米国特許第６５０４５７８号明細書
【発明の開示】
【発明が解決しようとする課題】
【０００７】
また相関手段１００２の出力を上述の同期検出のために用いると共に、マルチパスによる遅延波の様子を示す遅延プロファイルとして用いることもできる。
【０００８】
図２０に、同期検出回路１００１より前段にあるロールオフフィルタのインパルス応答ｙ（Ｔ）の一例を示す。横軸Ｔはシンボル（サンプリング）時刻を表す。Ｔが整数の場合、図２０に黒丸で示したようにインパルス応答ｙ（Ｔ）＝０である。これはサンプリング誤差がない場合、すなわち受信データに位相傾きがない場合に相当し、シンボル間干渉が生じない。
【０００９】
図２１に、遅延プロファイルの一例を示す。主波Ｄと遅延波Ｕ１が存在する場合を示している。図２１（ａ）は位相傾きがない場合であり、主波Ｄと遅延波Ｕ１に関する相関値（遅延プロファイル値）のみが大きな値である。その他は入力信号と既知の同期信号のタイミングが合っていないため、非常に小さい値となる。
【００１０】
一方サンプリング誤差がある場合、すなわち受信データに位相傾きがある場合は、図２０においてＴが整数ではなく、白丸で示したようにインパルス応答ｙ（Ｔ）≠０となる。よってシンボル間干渉が生じる。この場合には図２１（ｂ）に示すように、図２１（ａ）と比較して、主波Ｄと遅延波Ｕ１に関する相関値が小さくなり、前後のシンボルに関する相関値が大きくなる。
【００１１】
よって受信データの位相傾きにより遅延プロファイルの精度が低くなる、という問題点があった。更に図２１（ｂ）に示すように、遅延波Ｕ１に関する相関値が主波Ｄに関する相関値よりも大きくなると、最大値検出により同期位置を決定する場合に誤判定が生じる。
【００１２】
本発明は、上述の問題を解決するべくなされたものであり、片軸のみの受信データを用いて遅延プロファイルを生成する際の高精度化を図る復調装置、復調方法及びプログラムを提供することを目的とする。
【課題を解決するための手段】
【００１３】
上記目的を達成するために、本願の請求項１の発明は、復調装置であって、受信データの内、片軸のみ用いて算出した遅延プロファイルに対して、ある特定のシンボルとその前後何シンボルかを演算範囲として、その範囲の遅延プロファイル値を用いて演算を行い、前記演算結果を前記特定のシンボルの遅延プロファイル値として出力する遅延プロファイル再計算手段を含んで構成されることを特徴とするものである。
【００１４】
本願の請求項２の発明は、請求項１の復調装置において、前記遅延プロファイル再計算手段は、前記演算範囲をＮ通り（Ｎは２以上の整数）実行することを特徴とするものである。
【００１５】
本願の請求項３の発明は、請求項２の復調装置において、前記遅延プロファイル再計算手段は、前記Ｎ通りの演算結果の平均値を前記特定のシンボルの遅延プロファイル値とすることを特徴とするものである。
【００１６】
本願の請求項４の発明は、請求項１の復調装置において、前記遅延プロファイル再計算手段は、前記演算を行う前記特定のシンボルの間隔に応じて、前記演算範囲を決定することを特徴とするものである。
【００１７】
本願の請求項５の発明は、請求項４の復調装置において、前記遅延プロファイル再計算手段は、前記演算範囲が互いに重ならないように、前記演算範囲を決定することを特徴とするものである。
【００１８】
本願の請求項６の発明は、請求項１〜５のいずれか１項の復調装置において、前記遅延プロファイル再計算手段は、大きさが所定値以上の遅延プロファイル値を有するシンボルを前記特定のシンボルとして抽出することを特徴とするものである。
【００１９】
本願の請求項７の発明は、請求項１〜５のいずれか１項の復調装置において、前記遅延プロファイル再計算手段は、大きさが１位〜Ｍ位（Ｍは自然数）の遅延プロファイル値を有するシンボルを前記特定のシンボルとして抽出することを特徴とするものである。
【００２０】
本願の請求項８の発明は、請求項１〜７のいずれか１項の復調装置において、更に遅延プロファイル再計算手段で算出した遅延プロファイルを用いて、伝送路状況を解析する伝送路解析手段を有することを特徴とするものである。
【００２１】
本願の請求項９の発明は、請求項８の復調装置において、前記伝送路解析手段は、伝送路解析結果として少なくとも希望波対妨害波電力比、及び妨害波の希望波に対する遅延時間を算出することを特徴とするものである。
【００２２】
本願の請求項１０の発明は、請求項１または３〜９のいずれか１項の復調装置において、更に遅延プロファイル再計算手段で算出した遅延プロファイルの大きさの最大値を検出して、最大値を有する前記特定のシンボルを決定する最大値検出手段を有することを特徴とするものである。
【００２３】
本願の請求項１１の発明は、請求項２の復調装置において、更に遅延プロファイル再計算手段で算出したＮ通りの遅延プロファイルそれぞれについて、前記遅延プロファイルの大きさの最大値を検出して最大値を有する前記特定のシンボルを決定し、前記Ｎ通りの最大値を有する前記特定のシンボルの多数決判定を行って、最大値を有する前記特定のシンボルを決定する最大値検出手段を有することを特徴とするものである。
【００２４】
本願の請求項１２の発明は、請求項１〜１１のいずれか１項の復調装置において、前記遅延プロファイル再計算手段における演算は、２乗和であることを特徴とするものである。
【００２５】
本願の請求項１３の発明は、受信データの内、片軸のみ用いて遅延プロファイルを算出する遅延プロファイル算出手段と、遅延プロファイルの大きさが最大であるシンボルとその前後何シンボルかを比較範囲として、それらの遅延プロファイル値と、遅延プロファイル算出に用いた既知シンボル列を所定の角度刻みで位相回転した場合の遅延プロファイル値とを比較して、最も遅延プロファイルが近い位相回転量θを決定する比較手段とを有し、前記遅延プロファイル算出手段は入力データを−θ回転させてから遅延プロファイルを算出することを特徴とするものである。
【００２６】
本願の請求項１４の発明は、請求項１３の復調装置において、更に前記遅延プロファイル算出手段で算出した遅延プロファイルを用いて、伝送路状況を解析する伝送路解析手段を有することを特徴とするものである。
【００２７】
本願の請求項１５の発明は、請求項１４の復調装置において、前記伝送路解析手段は、伝送路解析結果として少なくとも希望波対妨害波電力比、及び妨害波の希望波に対する遅延時間を算出することを特徴とするものである。
【００２８】
本願の請求項１６の発明は、請求項１３〜１５のいずれか１項の復調装置において、更に前記遅延プロファイル算出手段で算出した遅延プロファイルの大きさの最大値を検出して、最大値を有するシンボルを決定する最大値検出手段を有することを特徴とするものである。
【００２９】
本願の請求項１７の発明は、復調方法であって、受信データの内、片軸のみ用いて算出した遅延プロファイルに対して、ある特定のシンボルとその前後何シンボルかを演算範囲として、その範囲の遅延プロファイル値を用いて演算を行い、前記演算結果を前記特定のシンボルの遅延プロファイル値とする遅延プロファイル再計算ステップを含んで構成されることを特徴とするものである。
【００３０】
本願の請求項１８の発明は、請求項１７の復調方法において、前記遅延プロファイル再計算ステップは、前記演算範囲をＮ通り（Ｎは２以上の整数）実行することを特徴とするものである。
【００３１】
本願の請求項１９の発明は、請求項１８の復調方法において、前記遅延プロファイル再計算ステップは、前記Ｎ通りの演算結果の平均値を前記特定のシンボルの遅延プロファイル値とすることを特徴とするものである。
【００３２】
本願の請求項２０の発明は、請求項１７の復調方法において、前記遅延プロファイル再計算ステップは、前記演算を行う前記特定のシンボルの間隔に応じて、前記演算範囲を決定することを特徴とするものである。
【００３３】
本願の請求項２１の発明は、請求項２０の復調方法において、前記遅延プロファイル再計算ステップは、前記演算範囲が互いに重ならないように、前記演算範囲を決定することを特徴とするものである。
【００３４】
本願の請求項２２の発明は、請求項１７〜２１のいずれか１項の復調方法において、前記遅延プロファイル再計算ステップは、大きさが所定値以上の遅延プロファイル値を有するシンボルを前記特定のシンボルとして抽出することを特徴とするものである。
【００３５】
本願の請求項２３の発明は、請求項１７〜２１のいずれか１項の復調方法において、前記遅延プロファイル再計算ステップは、大きさが１位〜Ｍ位（Ｍは自然数）の遅延プロファイル値を有するシンボルを前記特定のシンボルとして抽出することを特徴とするものである。
【００３６】
本願の請求項２４の発明は、請求項１７〜２３のいずれか１項の復調方法において、更に遅延プロファイル再計算ステップで算出した遅延プロファイルを用いて、伝送路状況を解析する伝送路解析ステップを有することを特徴とするものである。
【００３７】
本願の請求項２５の発明は、請求項２４の復調方法において、前記伝送路解析ステップは、伝送路解析結果として少なくとも希望波対妨害波電力比、及び妨害波の希望波に対する遅延時間を算出することを特徴とするものである。
【００３８】
本願の請求項２６の発明は、請求項１７または１９〜２５のいずれか１項の復調方法において、更に遅延プロファイル再計算ステップで算出した遅延プロファイルの大きさの最大値を検出して、最大値を有する前記特定のシンボルを決定する最大値検出ステップを有することを特徴とするものである。
【００３９】
本願の請求項２７の発明は、請求項１８の復調方法において、更に遅延プロファイル再計算ステップで算出したＮ通りの遅延プロファイルそれぞれについて、前記遅延プロファイルの大きさの最大値を検出して最大値を有する前記特定のシンボルを決定し、前記Ｎ通りの最大値を有する前記特定のシンボルの多数決判定を行って、最大値を有する前記特定のシンボルを決定する最大値検出ステップを有することを特徴とするものである。
【００４０】
本願の請求項２８の発明は、請求項１７〜２７のいずれか１項の復調方法において、前記遅延プロファイル再計算ステップにおける演算は、２乗和であることを特徴とするものである。
【００４１】
本願の請求項２９の発明は、復調方法であって、受信データの内、片軸のみ用いて遅延プロファイルを算出する遅延プロファイル算出ステップと、遅延プロファイルの大きさが最大であるシンボルとその前後何シンボルかを比較範囲として、それらの遅延プロファイル値と、遅延プロファイル算出に用いた既知シンボル列を所定の角度刻みで位相回転した場合の遅延プロファイル値とを比較して、最も遅延プロファイルが近い位相回転量θを決定する比較ステップとを有し、前記遅延プロファイル算出ステップは入力データを−θ回転させてから遅延プロファイルを算出することを特徴とするものである。
【００４２】
本願の請求項３０の発明は、請求項２９の復調方法において、更に遅延プロファイル再計算ステップで算出した遅延プロファイルを用いて、伝送路状況を解析する伝送路解析ステップを有することを特徴とするものである。
【００４３】
本願の請求項３１の発明は、請求項２９の復調方法において、前記伝送路解析ステップは、伝送路解析結果として少なくとも希望波対妨害波電力比、及び妨害波の希望波に対する遅延時間を算出することを特徴とするものである。
【００４４】
本願の請求項３２の発明は、請求項２９の復調方法において、更に遅延プロファイル再計算ステップで算出した遅延プロファイルの大きさの最大値を検出して、最大値を有する前記特定のシンボルを決定する最大値検出ステップを有することを特徴とするものである。
【００４５】
本願の請求項３３の発明は、請求項１７〜３２のいずれか１項記載の復調方法を実行することを特徴とする集積回路である。
【００４６】
本願の請求項３４の発明は、請求項１７〜３２のいずれか１項記載の復調方法を実行するための信号処理手順を記載したことを特徴とするプログラムである。
【発明の効果】
【００４７】
上記目的を達成する請求項１の発明によれば、ある特定のシンボルとその前後何シンボルかを演算範囲として、その範囲の遅延プロファイル値を用いて演算を行うことにより、受信データに位相傾きがある場合にも遅延プロファイルの精度を高めることができる。
【００４８】
また上記目的を達成する請求項２の発明によれば、演算範囲を２通り以上実行することにより、２通り以上の遅延プロファイルを出力することができる。特に２通り以上の遅延プロファイルをＰＣモニタなどに表示させると、１通りの表示と比較して、観測者がより正確に伝送路状況を把握することができる。
【００４９】
また上記目的を達成する請求項３の発明によれば、２通り以上の演算結果の平均値を前記特定のシンボルの遅延プロファイル値とすることにより、遅延プロファイルの精度を更に高めることができる。
【００５０】
また上記目的を達成する請求項４の発明によれば、演算を行う特定のシンボルの間隔に応じて演算範囲を決定することができ、伝送路環境に応じて遅延プロファイルの精度を高めることができる。
【００５１】
また上記目的を達成する請求項５の発明によれば、互いに重ならないように演算範囲を決定することにより、遅延プロファイルの精度を最大限まで高めることができる。
【００５２】
また上記目的を達成する請求項６の発明によれば、大きさが所定値以上の遅延プロファイル値を有するシンボルを再計算対象として、遅延プロファイルの精度を高めることができる。
【００５３】
また上記目的を達成する請求項７の発明によれば、大きさが１位〜Ｍ位（Ｍは自然数）の遅延プロファイル値を有するシンボルを再計算対象として、遅延プロファイルの精度を高めることができる。
【００５４】
また上記目的を達成する請求項８の発明によれば、伝送路状況を解析する伝送路解析手段を有することにより、精度の高い遅延プロファイルを用いて伝送路状況を把握することができる。特に伝送路状況をＰＣモニタなどに表示させると、遅延プロファイルのみの表示と比較して、観測者がより正確に伝送路状況を把握することができる。更に伝送路状況を用いて、等化回路、クロック再生回路、周波数再生回路などの復調装置の他ブロックを制御することにより、復調装置全体の性能向上を図ることができる。
【００５５】
また上記目的を達成する請求項９の発明によれば、伝送路解析結果として少なくとも希望波対妨害波電力比、及び妨害波の希望波に対する遅延時間を算出することにより、精度の高い遅延プロファイルを用いて伝送路状況を把握することができる。特に伝送路状況をＰＣモニタなどに表示させると、遅延プロファイルのみの表示と比較して、観測者がより正確に伝送路状況を把握することができる。更に伝送路状況を用いて、等化回路、クロック再生回路、周波数再生回路などの復調装置の他ブロックを制御することにより、復調装置全体の性能向上を図ることができる。
【００５６】
また上記目的を達成する請求項１０の発明によれば、遅延プロファイル再計算手段で算出した遅延プロファイルの大きさの最大値を検出することにより、精度の高い遅延プロファイルを用いて相関最大値位置を検出し、受信データに位相傾きがある場合の最大値誤検出を防止することができる。
【００５７】
また上記目的を達成する請求項１１の発明によれば、遅延プロファイル再計算手段で算出したＮ通りの遅延プロファイルの大きさを用いて多数決判定を行うことにより、精度の高い遅延プロファイルを用いて相関最大値位置を検出し、受信データに位相傾きがある場合の最大値誤検出を防止することができる。
【００５８】
また上記目的を達成する請求項１２の発明によれば、２乗和によって遅延プロファイル再計算を行うことにより、再計算対象シンボルの電力を算出することができる。
【００５９】
また上記目的を達成する請求項１３の復調装置によれば、受信データに関する遅延プロファイルと既知シンボル列を位相回転した場合の遅延プロファイル値とを比較することにより、受信データの位相回転量θを算出して、入力データを−θ回転させる。これにより、受信データの位相傾きを補正して、遅延プロファイルの精度を高めることができる。
【００６０】
また上記目的を達成する請求項１４の発明によれば、伝送路状況を解析する伝送路解析手段を有することにより、精度の高い遅延プロファイルを用いて伝送路状況を把握することができる。特に伝送路状況をＰＣモニタなどに表示させると、遅延プロファイルのみの表示と比較して、観測者がより正確に伝送路状況を把握することができる。更に伝送路状況を用いて、等化回路、クロック再生回路、周波数再生回路などの復調装置の他ブロックを制御することにより、復調装置全体の性能向上を図ることができる。
【００６１】
また上記目的を達成する請求項１５の発明によれば、伝送路解析結果として少なくとも希望波対妨害波電力比、及び妨害波の希望波に対する遅延時間を算出することにより、精度の高い遅延プロファイルを用いて伝送路状況を把握することができる。特に伝送路状況をＰＣモニタなどに表示させると、遅延プロファイルのみの表示と比較して、観測者がより正確に伝送路状況を把握することができる。更に伝送路状況を用いて、等化回路、クロック再生回路、周波数再生回路などの復調装置の他ブロックを制御することにより、復調装置全体の性能向上を図ることができる。
【００６２】
また上記目的を達成する請求項１６の発明によれば、遅延プロファイル算出手段で算出した遅延プロファイルの大きさの最大値を検出することにより、精度の高い遅延プロファイルを用いて相関最大値位置を検出し、受信データに位相傾きがある場合の最大値誤検出を防止することができる。
【００６３】
また上記目的を達成する請求項１７の発明によれば、ある特定のシンボルとその前後何シンボルかを演算範囲として、その範囲の遅延プロファイル値を用いて演算を行うことにより、受信データに位相傾きがある場合にも遅延プロファイルの精度を高めることができる。
【００６４】
また上記目的を達成する請求項１８の発明によれば、演算範囲を２通り以上実行することにより、２通り以上の遅延プロファイルを出力することができる。特に２通り以上の遅延プロファイルをＰＣモニタなどに表示させると、１通りの表示と比較して、観測者がより正確に伝送路状況を把握することができる。
【００６５】
また上記目的を達成する請求項１９の発明によれば、２通り以上の演算結果の平均値を前記特定のシンボルの遅延プロファイル値とすることにより、遅延プロファイルの精度を更に高めることができる。
【００６６】
また上記目的を達成する請求項２０の発明によれば、演算を行う特定のシンボルの間隔に応じて演算範囲を決定することができ、伝送路環境に応じて遅延プロファイルの精度を高めることができる。
【００６７】
また上記目的を達成する請求項２１の発明によれば、互いに重ならないように演算範囲を決定することにより、遅延プロファイルの精度を最大限まで高めることができる。
【００６８】
また上記目的を達成する請求項２２の発明によれば、大きさが所定値以上の遅延プロファイル値を有するシンボルを再計算対象として、遅延プロファイルの精度を高めることができる。
【００６９】
また上記目的を達成する請求項２３の発明によれば、大きさが１位〜Ｍ位（Ｍは自然数）の遅延プロファイル値を有するシンボルを再計算対象として、遅延プロファイルの精度を高めることができる。
【００７０】
また上記目的を達成する請求項２４の発明によれば、伝送路状況を解析する伝送路解析ステップを有することにより、精度の高い遅延プロファイルを用いて伝送路状況を把握することができる。特に伝送路状況をＰＣモニタなどに表示させると、遅延プロファイルのみの表示と比較して、観測者がより正確に伝送路状況を把握することができる。更に伝送路状況を用いて、等化ステップ、クロック再生ステップ、周波数再生ステップなどの復調方法の他ステップを制御することにより、復調方法全体の性能向上を図ることができる。
【００７１】
また上記目的を達成する請求項２５の発明によれば、伝送路解析結果として少なくとも希望波対妨害波電力比、及び妨害波の希望波に対する遅延時間を算出することにより、精度の高い遅延プロファイルを用いて伝送路状況を把握することができる。特に伝送路状況をＰＣモニタなどに表示させると、遅延プロファイルのみの表示と比較して、観測者がより正確に伝送路状況を把握することができる。更に伝送路状況を用いて、等化ステップ、クロック再生ステップ、周波数再生ステップなどの復調方法の他ステップを制御することにより、復調方法全体の性能向上を図ることができる。
【００７２】
また上記目的を達成する請求項２６の発明によれば、遅延プロファイル再計算ステップで算出した遅延プロファイルの大きさの最大値を検出することにより、精度の高い遅延プロファイルを用いて相関最大値位置を検出し、受信データに位相傾きがある場合の最大値誤検出を防止することができる。
【００７３】
また上記目的を達成する請求項２７の発明によれば、遅延プロファイル再計算手段で算出したＮ通りの遅延プロファイルの大きさを用いて多数決判定を行うことにより、精度の高い遅延プロファイルを用いて相関最大値位置を検出し、受信データに位相傾きがある場合の最大値誤検出を防止することができる。
【００７４】
また上記目的を達成する請求項２８の発明によれば、２乗和によって遅延プロファイル再計算を行うことにより、再計算対象シンボルの電力を算出することができる。
【００７５】
また上記目的を達成する請求項２９の発明によれば、受信データに関する遅延プロファイルと既知シンボル列を位相回転した場合の遅延プロファイル値とを比較することにより、受信データの位相回転量θを算出して、入力データを−θ回転させる。これにより、受信データの位相傾きを補正して、遅延プロファイルの精度を高めることができる。
【００７６】
また上記目的を達成する請求項３０の発明によれば、伝送路状況を解析する伝送路解析ステップを有することにより、精度の高い遅延プロファイルを用いて伝送路状況を把握することができる。特に伝送路状況をＰＣモニタなどに表示させると、遅延プロファイルのみの表示と比較して、観測者がより正確に伝送路状況を把握することができる。更に伝送路状況を用いて、等化ステップ、クロック再生ステップ、周波数再生ステップなどの復調方法の他ステップを制御することにより、復調方法全体の性能向上を図ることができる。
【００７７】
また上記目的を達成する請求項３１の発明によれば、伝送路解析結果として少なくとも希望波対妨害波電力比、及び妨害波の希望波に対する遅延時間を算出することにより、精度の高い遅延プロファイルを用いて伝送路状況を把握することができる。特に伝送路状況をＰＣモニタなどに表示させると、遅延プロファイルのみの表示と比較して、観測者がより正確に伝送路状況を把握することができる。更に伝送路状況を用いて、等化ステップ、クロック再生ステップ、周波数再生ステップなどの復調方法の他ステップを制御することにより、復調方法全体の性能向上を図ることができる。
【００７８】
また上記目的を達成する請求項３２の発明によれば、遅延プロファイル再計算ステップで算出した遅延プロファイルの大きさの最大値を検出することにより、精度の高い遅延プロファイルを用いて相関最大値位置を検出し、受信データに位相傾きがある場合の最大値誤検出を防止することができる。
【００７９】
また上記目的を達成する請求項３３の発明によれば、集積回路により、遅延プロファイルの精度を高めることができる。
【００８０】
また請求項３４記載の発明によれば、復調方法を実行するための信号処理手順を記載した非線形歪等化プログラムを実現することができる。
【発明を実施するための最良の形態】
【００８１】
以下、本発明の各実施形態について、図面を用いて詳細に説明する。
【００８２】
（実施の形態１）
図１は、本発明の実施の形態１における遅延プロファイル生成回路１０１の構成を示す図である。
【００８３】
遅延プロファイル生成回路１０１は、相関手段１００２と、遅延プロファイル再計算手段１０２とを有している。遅延プロファイル生成回路１０１は、米国の地上波デジタル放送方式である、ＡＴＳＣ（Ａｄｖａｎｃｅｄ Ｔｅｌｅｖｉｓｉｏｎ Ｓｙｓｔｅｍｓ Ｃｏｍｍｉｔｔｅｅ）方式と呼ばれている単一搬送波の８値ＶＳＢ（Ｖｅｓｔｉｇｉａｌ Ｓｉｄｅ Ｂａｎｄ）変調方式対応の復調装置に含まれる回路である。
【００８４】
図２に、ＡＴＳＣ方式のＶＳＢデータフレームのデータ構造を示す。ＶＳＢデータフレームは第１フィールドと第２フィールドの２つのフィールドから構成される。１フィールドは３１３セグメントからなり、先頭のセグメントはフィールド同期セグメントである。第１フィールドと第２フィールドの違いは、フィールド同期セグメントに含まれる３つのＰＮ６３シンボル列のうち、２番目のＰＮ６３シンボル列の極性が反転していることで識別できる。
【００８５】
１セグメントは、セグメント同期シンボル列（４シンボル）とデータシンボル列（８２８シンボル）から成る。１シンボルは８ＶＳＢモードの場合、３ビット／シンボルである。
【００８６】
フィールド同期セグメントは、セグメント同期（４シンボル）、トレーニング信号（７２４シンボル）及び予約領域等（１０４シンボル）から成る。
【００８７】
トレーニング信号は、信号帯域内で擬似ランダムな値をとる擬似雑音信号である。トレーニング信号は、ＰＮ５１１シンボル列（５１１シンボル）、ＰＮ６３シンボル列（６３シンボル）が３つ（合計１８９シンボル）、２ＶＳＢ、４ＶＳＢ、８ＶＳＢ、１６ＶＳＢ及びＴＣ８ＶＳＢの５種類のＶＳＢモードを識別するＶＳＢモードシンボル列（２４シンボル）から成る。
【００８８】
データセグメントを構成する各データシンボルは、８ＶＳＢモードの場合、映像、音声、データ等の情報を符号化したものを、＋７、＋５、＋３、＋１、−１、−３、−５、−７の８レベルの値で表される。
【００８９】
セグメント同期シンボル列及びフィールド同期シンボル列の各シンボルは、８ＶＳＢモードの場合、予約シンボル列の一部を除いて、＋５、−５の２レベルの値で表される。
【００９０】
本実施の形態において遅延プロファイル生成回路１０１が相関をとる対象の信号は、上述したセグメント同期やトレーニング信号である。
【００９１】
以下、遅延プロファイル生成回路１０１の動作について述べる。相関手段１００２から出力される遅延プロファイルの一例を図３に示す。図２１と同様、図３（ａ）は受信データに位相傾きがない場合、図３（ｂ）は受信データに位相傾きがある場合を示す。
【００９２】
図３（ａ）と図３（ｂ）に示すように、遅延プロファイル再計算手段１０２は例えば再計算対象のシンボルを主波Ｄと遅延波Ｕ１とし、それぞれそのシンボルと前後１シンボルずつの相関値の２乗和を求め、主波Ｄと遅延波Ｕ１に関する修正した遅延プロファイルとして出力する。修正した遅延プロファイルは再計算対象のシンボルの電力に相当する。
【００９３】
以上の構成により、遅延プロファイルの精度を高めることができる。
【００９４】
また本実施の形態においては、図４に示す遅延プロファイル生成回路１１１の構成としてもよい。図４の遅延プロファイル生成回路１１１は図１の遅延プロファイル生成回路１０１に、伝送路解析手段１１２を追加した構成である。伝送路解析手段１１２は、遅延プロファイル再計算手段１０２から出力される主波Ｄと遅延波Ｕ１に関する修正した遅延プロファイルを基に、伝送路状況を解析して出力する。伝送路状況の一例としてはＤ／Ｕ比（希望波対妨害波電力比）、遅延波Ｕ１の主波Ｄに対する遅延時間などが挙げられる。
【００９５】
以上の構成により、精度の高い遅延プロファイルを用いて伝送路状況を把握することができる。特に伝送路状況をＰＣモニタなどに表示させると、遅延プロファイルのみの表示と比較して、観測者がより正確に伝送路状況を把握することができる。更に伝送路状況を用いて、等化回路、クロック再生回路、周波数再生回路などの復調装置の他ブロックを制御することにより、復調装置全体の性能向上を図ることができる。
【００９６】
また本実施の形態においては、図５に示す遅延プロファイル生成回路１２１の構成としてもよい。図５の遅延プロファイル生成回路１２１は図１の遅延プロファイル生成回路１０１に、最大値位置検出手段１００３を追加した構成である。最大値位置検出手段１００３により、相関最大値位置を検出する。
【００９７】
以上の構成により、精度の高い遅延プロファイルを用いて相関最大値位置を検出することができる。
【００９８】
なお遅延プロファイル生成回路は、相関手段１００２と、遅延プロファイル再計算手段１０２と、伝送路解析手段１１２と、最大値位置検出手段１００３により構成しても良い。
【００９９】
また本実施の形態では、再計算対象のシンボルと前後１シンボルずつの相関値の２乗和を求める構成としたが、２乗和の演算範囲はこれに限らない。図２０に示したインパルス応答より、演算範囲を広げると遅延プロファイルの精度が更に高まることが分かる。
【０１００】
（実施の形態２）
図６は、本発明の実施の形態２における遅延プロファイル生成回路２０１の構成を示す図である。図６の遅延プロファイル生成回路２０１は、実施の形態１の遅延プロファイル生成回路１０１と比較して、遅延プロファイル再計算手段２０２が置き換わった構成である。
【０１０１】
以下、図６の遅延プロファイル生成回路２０１の動作について、実施の形態１と異なる点のみ説明する。図３（ａ）と図３（ｂ）の遅延プロファイルに対して、遅延プロファイル再計算手段２０２は例えば再計算対象のシンボルを主波Ｄと遅延波Ｕ１とし、それぞれそのシンボルと前後１シンボルずつの相関値の２乗和を求め、主波Ｄと遅延波Ｕ１に関する修正した遅延プロファイル−１として出力する。同様に遅延プロファイル再計算手段２０２は２乗和の範囲を前後２シンボルずつまで広げた結果を修正した遅延プロファイル−２として出力する。以下同様に２乗和の範囲を広げて、主波Ｄと遅延波Ｕ１に関する修正した遅延プロファイルをＮ通り（Ｎは２以上の整数）出力する。
【０１０２】
以上の構成により、Ｎ通りの遅延プロファイルを出力することができる。特にＮ通りの遅延プロファイルをＰＣモニタなどに表示させると、１通りの表示と比較して、観測者がより正確に伝送路状況を把握することができる。
【０１０３】
また本実施の形態においては、図７に示す遅延プロファイル生成回路２１１の構成としてもよい。図７の遅延プロファイル生成回路２１１は図６の遅延プロファイル生成回路２０１と比較して、遅延プロファイル再計算手段２１２が置き換わった構成である。遅延プロファイル再計算手段２１２は図６の遅延プロファイル再計算手段２０２と同様に、Ｎ通りの遅延プロファイルを算出する。更にＮ通りの遅延プロファイルをシンボル毎に平均して、主波Ｄと遅延波Ｕ１に関する修正した遅延プロファイルとして出力する。
【０１０４】
以上の構成により、遅延プロファイルの精度を更に高めることができる。
【０１０５】
また本実施の形態においては、図８に示す遅延プロファイル生成回路２２１の構成としてもよい。図８の遅延プロファイル生成回路２２１は図６の遅延プロファイル生成回路２０１に、伝送路解析手段２２２を追加した構成である。伝送路解析手段２２２は遅延プロファイル再計算手段２０２から出力される主波Ｄと遅延波Ｕ１に関する修正した遅延プロファイルを基に、伝送路状況を解析して出力する。伝送路状況の一例としてはＤ／Ｕ比、遅延波Ｕ１の主波Ｄに対する遅延時間などが挙げられる。なおＮ通りの修正した遅延プロファイルを用いて伝送路解析を行うことができるが、例えば確からしい１つの修正した遅延プロファイルのみを用いることが考えられる。
【０１０６】
以上の構成により、更に精度の高い遅延プロファイルを用いて伝送路状況を把握することができる。特に伝送路状況をＰＣモニタなどに表示させると、遅延プロファイルのみの表示と比較して、観測者がより正確に伝送路状況を把握することができる。更に伝送路状況を用いて、等化回路、クロック再生回路、周波数再生回路などの復調装置の他ブロックを制御することにより、復調装置全体の性能向上を図ることができる。
【０１０７】
また本実施の形態においては、図９に示す遅延プロファイル生成回路２３１の構成としてもよい。図９の遅延プロファイル生成回路２３１は図７の遅延プロファイル生成回路２１１に、伝送路解析手段１１２を追加した構成である。伝送路解析手段１１２の動作は実施の形態１と同じである。
【０１０８】
以上の構成により、更に精度の高い遅延プロファイルを用いて伝送路状況を把握することができる。特に伝送路状況をＰＣモニタなどに表示させると、遅延プロファイルのみの表示と比較して、観測者がより正確に伝送路状況を把握することができる。更に伝送路状況を用いて、等化回路、クロック再生回路、周波数再生回路などの復調装置の他ブロックを制御することにより、復調装置全体の性能向上を図ることができる。
【０１０９】
また本実施の形態においては、図１０に示す遅延プロファイル生成回路２４１の構成としてもよい。図１０の遅延プロファイル生成回路２４１は図６の遅延プロファイル生成回路２０１に、最大値位置検出手段２４２を追加した構成である。最大値位置検出手段２４２はＮ通りの修正した遅延プロファイルそれぞれに関して相関最大値位置を検出し、Ｎ通りの相関最大値位置の多数決判定を行って、相関最大値位置を検出する。
【０１１０】
以上の構成により、更に精度の高い遅延プロファイルを用いて相関最大値位置を検出することができる。
【０１１１】
また本実施の形態においては、図１１に示す遅延プロファイル生成回路２５１の構成としてもよい。図１１の遅延プロファイル生成回路２５１は図７の遅延プロファイル生成回路２１１に、最大値位置検出手段１００３を追加した構成である。最大値位置検出手段１００３により、相関最大値位置を検出する。
【０１１２】
以上の構成により、更に精度の高い遅延プロファイルを用いて相関最大値位置を検出することができる。
【０１１３】
なお遅延プロファイル生成回路は、相関手段１００２と、遅延プロファイル再計算手段２０２と、伝送路解析手段２２２と、最大値位置検出手段２４２により構成しても良い。
【０１１４】
また遅延プロファイル生成回路は、相関手段１００２と、遅延プロファイル再計算手段２１２と、伝送路解析手段１１２と、最大値位置検出手段１００３により構成しても良い。
【０１１５】
（実施の形態３）
図１２は、本発明の実施の形態３における遅延プロファイル生成回路３０１の構成を示す図である。図６の遅延プロファイル生成回路３０１は、実施の形態１の遅延プロファイル生成回路１０１と比較して、遅延プロファイル再計算手段３０２が置き換わった構成である。
【０１１６】
以下、図１２の遅延プロファイル生成回路３０１の動作について、実施の形態１と異なる点のみ説明する。図１３（ａ）と図１３（ｂ）の遅延プロファイルに対して、遅延プロファイル再計算手段３０２は例えば再計算対象のシンボルを主波Ｄと遅延波Ｕ１とする。次に主波Ｄと遅延波Ｕ１のシンボル間隔を算出する。シンボル間隔が６であるので、お互いの２乗和の範囲が重ならないように決定する。例えば図１３（ａ）と図１３（ｂ）に示すように、２乗和の範囲をそれぞれそのシンボルと前後３シンボルずつとすると、この伝送路環境下では最も遅延プロファイルの精度を高めることができる。
【０１１７】
以上の構成により、伝送路環境に応じて２乗和の範囲を変更することができ、遅延プロファイルの精度を最大限まで高めることができる。
【０１１８】
また本実施の形態においては、図１４に示す遅延プロファイル生成回路３１１の構成としてもよい。図１４の遅延プロファイル生成回路３１１は図１２の遅延プロファイル生成回路３０１に、伝送路解析手段１１２を追加した構成である。伝送路解析手段１１２の動作は実施の形態１と同じである。
【０１１９】
以上の構成により、更に精度の高い遅延プロファイルを用いて伝送路状況を把握することができる。特に伝送路状況をＰＣモニタなどに表示させると、遅延プロファイルのみの表示と比較して、観測者がより正確に伝送路状況を把握することができる。更に伝送路状況を用いて、等化回路、クロック再生回路、周波数再生回路などの復調装置の他ブロックを制御することにより、復調装置全体の性能向上を図ることができる。
【０１２０】
また本実施の形態においては、図１５に示す遅延プロファイル生成回路３２１の構成としてもよい。図１５の遅延プロファイル生成回路３２１は図１２の遅延プロファイル生成回路３０１に、最大値位置検出手段１００３を追加した構成である。最大値位置検出手段１００３により、相関最大値位置を検出する。
【０１２１】
以上の構成により、更に精度の高い遅延プロファイルを用いて相関最大値位置を検出することができる。
【０１２２】
なお遅延プロファイル生成回路は、相関手段１００２と、遅延プロファイル再計算手段３０２と、伝送路解析手段１１２と、最大値位置検出手段１００３により構成しても良い。
【０１２３】
（実施の形態４）
図１６は、本発明の実施の形態４における遅延プロファイル生成回路４０１の構成を示す図である。図１６の遅延プロファイル生成回路４０１は、相関手段１００２と、比較手段４０２と、位相逆回転手段４０３とを有している。
【０１２４】
以下、図１６の遅延プロファイル生成回路４０１の動作について説明する。比較手段４０２は、図２１（ａ）と図２１（ｂ）の遅延プロファイルと、遅延プロファイル算出に用いた既知シンボル列を所定の角度刻みで位相回転した場合の遅延プロファイル値とを比較して、最も遅延プロファイルが近い位相回転量θを決定する。位相逆回転手段４０３は入力データを−θ回転させ、演算結果を相関手段１００２に出力する。
【０１２５】
前述の所定の角度刻みで位相回転した場合の遅延プロファイル値については、その都度相関演算によって算出しても良いし、ＲＯＭデータとして記憶させておいても良く、その方法は特に限定されない。
【０１２６】
位相回転量θの決定方法としては、相関最大値付近の遅延プロファイルについて、シンボル毎に誤差の絶対値を累積加算して、累積加算結果が最小の角度とする、などが考えられ、その方法は特に限定されない。
【０１２７】
以上の構成により、受信データの位相傾きを補正して、遅延プロファイルの精度を高めることができる。
【０１２８】
また本実施の形態においては、図１７に示す遅延プロファイル生成回路４１１の構成としてもよい。図１７の遅延プロファイル生成回路４１１は図１６の遅延プロファイル生成回路４０１に、伝送路解析手段１１２を追加した構成である。伝送路解析手段１１２の動作は実施の形態１と同じである。
【０１２９】
以上の構成により、更に精度の高い遅延プロファイルを用いて伝送路状況を把握することができる。特に伝送路状況をＰＣモニタなどに表示させると、遅延プロファイルのみの表示と比較して、観測者がより正確に伝送路状況を把握することができる。更に伝送路状況を用いて、等化回路、クロック再生回路、周波数再生回路などの復調装置の他ブロックを制御することにより、復調装置全体の性能向上を図ることができる。
【０１３０】
また本実施の形態においては、図１８に示す遅延プロファイル生成回路４２１の構成としてもよい。図１８の遅延プロファイル生成回路４２１は図１６の遅延プロファイル生成回路４０１に、最大値位置検出手段１００３を追加した構成である。最大値位置検出手段１００３により、相関最大値位置を検出する。
【０１３１】
以上の構成により、更に精度の高い遅延プロファイルを用いて相関最大値位置を検出することができる。
【０１３２】
なお遅延プロファイル生成回路は、相関手段１００２と、比較手段４０２と、位相逆回転手段４０３と、伝送路解析手段１１２と、最大値位置検出手段１００３により構成しても良い。
【０１３３】
なお実施の形態１〜３において、演算範囲に関して２乗和を算出する構成としたが、その他の演算方法で遅延プロファイルの精度を高めても良い。
【０１３４】
また実施の形態１〜３において、主波Ｄと遅延波Ｕ１に関して遅延プロファイルの再計算を行った。再計算対称の決定方法としては主波Ｄと遅延波Ｕ１の抽出の他に、その他の方法を用いても良い。例えば、相関値の大きさが所定値以上のシンボルを抽出する方法や、相関値の大きさが１位〜Ｍ位（Ｍは自然数）であるシンボルを抽出する方法などが考えられる。
【０１３５】
また実施の形態３において、演算範囲が互いに重ならないようにその範囲を決定したが、その他の方法で再計算対象のシンボル間隔に応じて演算範囲を決定し、遅延プロファイルの精度を高めても良い。
【０１３６】
また実施の形態１〜４において、Ｉ軸のみにデータが伝送されるＶＳＢの場合を示した。これに限らず、Ｉ軸とＱ軸の両方にデータが伝送される場合でも、Ｉ軸とＱ軸の両方を用いて遅延プロファイルを算出する代わりに、片軸のみを用いて遅延プロファイルを算出し、実施の形態１〜４と同様にして遅延プロファイルの精度を高めても良い。これにより、回路規模を削減することができる。
【０１３７】
また実施の形態１〜４における復調方法は全てをハードウエアで構成しても良く、一部または全てをソフトウェアで構成しても良い。特に遅延プロファイル再計算手段や伝送路解析手段はそれ程高速性を要求されない場合があり、これらのみソフトウェアで構成しても良い。
【０１３８】
また実施の形態１〜４における復調方法を集積回路に実装して、本発明の目的を実現することもできる。集積回路は集積度の違いにより、ＬＳＩ以外に、ＩＣ、システムＬＳＩ、スーパーＬＳＩ、ウルトラＬＳＩなどと呼称される。また集積回路化の手法はＬＳＩに限るものではなく、専用回路または汎用プロセサで実現しても良い。ＬＳＩ製造後に、プログラムすることが可能なＦＰＧＡや、ＬＳＩ内部の回路セルの接続や設定を再構成可能なリコンフィギュラブル・プロセサを利用しても良い。更には半導体技術の進歩または派生する別技術により、ＬＳＩに置き換わる集積回路化の技術が登場すれば、当然その技術を用いて機能ブロックの集積化を行っても良い。バイオ技術の適応等が可能性として有り得る。
【０１３９】
また実施の形態１〜４における復調方法をプログラムとしてプログラムメモリに記載し、ＣＰＵを用いて復調処理をリアルタイム処理することにより、本発明の目的を実現することもできる。
【産業上の利用可能性】
【０１４０】
本発明に係る復調装置、復調方法及びプログラムは、地上波デジタル放送受信装置や、無線受信機等に適用することができる。
【図面の簡単な説明】
【０１４１】
【図１】実施の形態１における遅延プロファイル生成回路の構成の一例を示す図
【図２】ＡＴＳＣ方式のＶＳＢデータフレームのデータ構造を示す図
【図３】実施の形態１における遅延プロファイルと再計算の一例を示した図
【図４】実施の形態１における遅延プロファイル生成回路の構成の他の一例を示す図
【図５】実施の形態１における遅延プロファイル生成回路の構成の他の一例を示す図
【図６】実施の形態２における遅延プロファイル生成回路の構成の一例を示す図
【図７】実施の形態２における遅延プロファイル生成回路の構成の他の一例を示す図
【図８】実施の形態２における遅延プロファイル生成回路の構成の他の一例を示す図
【図９】実施の形態２における遅延プロファイル生成回路の構成の他の一例を示す図
【図１０】実施の形態２における遅延プロファイル生成回路の構成の他の一例を示す図
【図１１】実施の形態２における遅延プロファイル生成回路の構成の他の一例を示す図
【図１２】実施の形態３における遅延プロファイル生成回路の構成の一例を示す図
【図１３】実施の形態３における遅延プロファイルと再計算の一例を示した図
【図１４】実施の形態３における遅延プロファイル生成回路の構成の他の一例を示す図
【図１５】実施の形態３における遅延プロファイル生成回路の構成の他の一例を示す図
【図１６】実施の形態４における遅延プロファイル生成回路の構成の一例を示す図
【図１７】実施の形態４における遅延プロファイル生成回路の構成の他の一例を示す図
【図１８】実施の形態４における遅延プロファイル生成回路の構成の他の一例を示す図
【図１９】復調装置に含まれる従来の同期検出回路の構成を示した図
【図２０】ロールオフフィルタのインパルス応答ｙ（Ｔ）の一例を示した図
【図２１】遅延プロファイルの一例を示した図
【符号の説明】
【０１４２】
１０１，１１１，１２１，２０１，２１１，２２１，２３１，２４１，２５１，３０１，３１１，３２１，４０１，４１１，４２１    遅延プロファイル生成回路
１０２，２０２，２１２，３０２    遅延プロファイル再計算手段
１１２，２２２    伝送路解析手段
４０２    比較手段
４０３    位相逆回転手段
１００２    相関手段
２４２，１００３    最大値位置検出手段
【図１】
2006203485.tif 000003
【図２】
2006203485.tif 000004
【図３】
2006203485.tif 000005
【図４】
2006203485.tif 000006
【図５】
2006203485.tif 000007
【図６】
2006203485.tif 000008
【図７】
2006203485.tif 000009
【図８】
2006203485.tif 000010
【図９】
2006203485.tif 000011
【図１０】
2006203485.tif 000012
【図１１】
2006203485.tif 000013
【図１２】
2006203485.tif 000014
【図１３】
2006203485.tif 000015
【図１４】
2006203485.tif 000016
【図１５】
2006203485.tif 000017
【図１６】
2006203485.tif 000018
【図１７】
2006203485.tif 000019
【図１８】
2006203485.tif 000020
【図１９】
2006203485.tif 000021
【図２０】
2006203485.tif 000022
【図２１】
2006203485.tif 000023